(57)【要約】      （修正有）【課題】水の消費を大幅に抑えるとともに染色効率を向上させる螺旋軸式輸送装置を備えた布染色機を提供する。【解決手段】本体１内及び本体１とほぼ平行した方向には、輸送螺旋軸２１と布支持板２２からなる螺旋軸式輸送装置２が設けられ、布３は、本体１内に設けられる染色管１１を通過した後、螺旋軸式輸送装置２上に置かれ、さらに、螺旋軸式輸送装置２によって布３が前方に輸送されるとともに本体１内の布挿入ローラー４とノズル５を通ってさらに循環され、染色管１１に入り、染色されることで、水の使用量を減らして染色効果を向上させ、エネルギーを節減するとともに二酸化炭素の排出を減らし、環境への害を低減してグリーン経済を実践する。【選択図】図１
0003219782.tif 000002
【実用新案登録請求の範囲】
【請求項１】
螺旋軸式輸送装置を備えた布染色機であって、前記螺旋軸式輸送装置を備えた布染色機の本体内には染色管と、ノズルと、布挿入ローラーが設けられ、前記本体の底部と前記ノズルの間には、ポンプが連結され、前記ポンプは、前記本体内の染色液を直接抽出し、染色液を前記ノズルと前記染色管に輸送して布を染色した後、さらに染色液を前記本体底部に直接落とし、
前記本体内部には、輸送螺旋軸と布支持板からなる螺旋軸式輸送装置が設けられ、布を輸送するまたは布の輸送を補助することを特徴とする螺旋軸式輸送装置を備えた布染色機。
【請求項２】
前記螺旋軸式輸送装置は、１つのまたは複数の輸送螺旋軸を備えることを特徴とする、請求項１に記載の螺旋軸式輸送装置を備えた布染色機。
【請求項３】
前記布支持板は、前記輸送螺旋軸における軸方向に垂直である向かい合う両側に位置するとともに固定して設けられることを特徴とする、請求項１または請求項２に記載の螺旋軸式輸送装置を備えた布染色機。
【請求項４】
前記布支持板は、前記輸送螺旋軸における軸方向に垂直である向かい合う両側に位置するとともに、布に合わせて可動に設けられることを特徴とする、請求項１または請求項２に記載の螺旋軸式輸送装置を備えた布染色機。
【請求項５】
前記本体底部における低い部分には、液体貯蔵タンクが設けられ、下に落ちた染色液を全てまたはほとんど収集するのに用いられることを特徴とする、請求項１または請求項２に記載の螺旋軸式輸送装置を備えた布染色機。
【考案の詳細な説明】
【技術分野】
【０００１】
本考案は布染色用の染色機に関し、特に螺旋軸式輸送装置によって布を輸送し循環させることで水の消費を大幅に抑えるとともに染色効率を向上させる染色機に関する。
【背景技術】
【０００２】
一般に従来の布染色機における布染め加工は、ポンプによって染色液を加圧するとともに、熱交換器により温度を上げるまたは温度を下げた後ノズルに入れることで、噴射させるまたは水が溢れ出て流れるようにするとともに、染色液を染色機の布集積槽に再び戻し、布が布挿入ローラーによって動かされて（または布挿入ローラーなしに）ノズルに入り、ノズルによる噴射または水の流れにより布が動かされ、染色管を通って染色タンク本体の後方に再び戻り、さらに染色液の浮力と推力によって布が本体前方まで前方に輸送されることで循環されると同時に、ポンプにより助剤が染色機の中に加圧注入され、染色液と布は、循環されることで熱交換器により加熱且つ保温される過程及び温度が下げられる過程において染料が布に吸収されることで精製されるとともに、染色且つ水洗いの効果が達成される。
【考案の概要】
【考案が解決しようとする課題】
【０００３】
本考案は、水の消費を大幅に抑えるとともに染色効率を向上させる螺旋軸式輸送装置を備えた布染色機を提供することを目的とする。
【課題を解決するための手段】
【０００４】
本考案における染色機の本体には、染色管と、本体内部に位置するノズルと布挿入ローラーが設けられ、前記螺旋軸式輸送装置は、布を前方に循環するようにして輸送させ、布が布挿入ローラーを通ってノズルに入るようにするとともに染色管と染色液を通って交互に作用するようにして染色する。前記本体にはさらに  コンピュータプログラムによって前記布染色機の作動を制御する制御ボックスが設けられ、布挿入ローラーと、布と、輸送装置を制御して３つを同じ速度で作動させるのに用いられる。そのうち、布循環感知アイドラと布移動センサーは、制御ボックスによって制御されることで、布循環感知アイドラが布が動いていないことを感知すると、前記螺旋軸式輸送装は、直ちに作動を停止する。布移動センサーが布が移動する速度が速すぎるか遅すぎる、または詰まっていることを感知すると、前記螺旋軸式輸送装置は、直ちに制御されて速度が遅くなるか速くなる、または作動を停止すると同時に、布循環感知アイドラの速度を検出することで、布が同じ速度で循環するように制御または修正する。
【０００５】
本考案における技術的特徴として、染色機の本体内部に輸送螺旋軸と布支持板からなる螺旋軸式輸送装置が設けられ、布が布支持板上で支えられるとともに、輸送螺旋軸によって回される際に、布が均等且つ安定して前方に輸送される。前記輸送螺旋軸は、１つまたは複数であることができ、輸送螺旋軸が複数である場合、互いに平行して配置される。
【０００６】
本考案の実施例において、前記螺旋軸式輸送装置の布支持板は、前記輸送螺旋軸における軸方向に対して垂直である向かい合う両側に位置することができるとともに、固定して設けられるまたは可動に設けられる。
【０００７】
本考案の実施例において、染色機の本体底部の低い部分には、液体貯蔵タンクを設けることができ、下に落ちた染色液を全てまたはほとんど収集するのに用いられることで、さらに使用する水の量が減少するとともに、前記液体貯蔵タンク内には、濾過装置と熱交換器を設けることができることで、本体底部に落ちた染色液が前記液体貯蔵タンク内に流れ、濾過された後、再び回收されて循環されるようにすることができるとともに、熱交換機能が高められる。
【０００８】
本考案は、さらに、染色機における比較的低い部分に取り付けられることで、布の輸送を補助するのに用いられる、つまり、布を輸送すると同時に水の浮力と推力により輸送装置も輸送される。
【考案の効果】
【０００９】
本考案は、従来の布染色機と比較すると、布を染色機にさらに安定して且つ均等に配置且つ積み重ね、さらに輸送することができることで、布をさらに安定して循環させて輸送させることができるとともに、水の使用量、消費電力、消費蒸気量、化学添加物を大幅に減らすことができることで、廃水とＣＯ２排出量をさらに減らすことができる。
【図面の簡単な説明】
【００１０】
【図１】本考案における染色機の構造を示した図である。
【図２】図１におけるII−II方向に沿う部分の平面断面図である。
【考案を実施するための形態】
【００１１】
図１と図２に示す通り、本考案が提供する螺旋軸式輸送装置を備えた布染色機において、本体１の内部の上方には、布３が通るための染色管１１が設けられ、本体１の前端の上方には、ノズル５と布挿入ローラー４が設けられ、布挿入ローラー４の下方には、実際の必要に応じて布循環感知アイドラ（未図示）を設けることができるとともに、本体内の染色管１１の下方には、螺旋軸式輸送装置２が設けられる。前記螺旋軸式輸送装置２は、輸送螺旋軸２１と布支持板２２が組み合わされてなり、前記輸送螺旋軸２１は、１つまたは複数であることができ、輸送螺旋軸２１が複数である場合、互いに平行した状態で配置されることが比較的好ましい。前記輸送螺旋軸２１の全てまたは一部は、電源システム（未図示）に連結されることで、駆動され回される。前記布支持板２２は、前記輸送螺旋軸２１の軸方向に垂直である向かい合う両側に設置されるとともに、布支持板２２は、固定式または可動式を採用して配置することができる。
【００１２】
本体１の後端または前端には、本体１の傾斜方向に応じて液体貯蔵タンク１２を設けることができ、液体貯蔵タンク１２の底部には、ストレーナー１２１と熱交換器を設けることができるとともに、管路によってノズル５に連結され、前記管路には、ポンプ７が設けられ、ポンプ７は、さらに管路によって助剤桶６に連結される。
【００１３】
本考案の作動方法は、布３が本体１内に送られた後、布３は、布挿入ローラー４によってノズル５に入れられ、さらに染色管１１に送られた後、螺旋軸式輸送装置２の輸送螺旋軸２１と布支持板２２上に置かれ、駆動され回される輸送螺旋軸２１によって前端まで輸送されることで布が循環する。ポンプ７が、液体貯蔵タンク１２に溜まった染色液を抽出した後、染色液は管路を通ってノズル５から布３に噴射され、染色液がノズル５と染色管１１において同時に布３に交互に作用して染色する。染色管１１の尾端から戻った染色液は、本体底部に落ちるが、ほとんどの染色液は、液体貯蔵タンク１２の中に直接落ち、一部の染色液は、傾斜した底部に沿って液体貯蔵タンク１２内に流れる。さらに、染色液は、ポンプ７によって抽出された後、ノズル５から噴射され、さらに染色管１１から本体１におちることで循環される。
【００１４】
前記布挿入ローラー４と輸送螺旋軸２１の作動速度は、制御ボックス８によって制御されることで、布挿入ローラー４と、輸送螺旋軸２１と、布３の循環速度は同じにされ、その速度は、任意に調整することができる。ただし、制御ボックス８によって制御され、布３が輸送されて移動する過程において、布が輸送されていない、または布の輸送速度が速すぎるまたは遅すぎると感知された場合、制御ボックス８は、直ちに輸送螺旋軸２１の作動を停止させる、または速度を速めるか速度を遅くする。
【００１５】
端的に言えば、本考案において、螺旋軸式輸送装置が従来の染色液により布を動かして循環させる方法に取って代わることで、布が布支持板２２上で支えられるとともに、輸送螺旋軸２１によって回される際に、布が均一且つ安定して輸送される。さらに、螺旋軸式輸送装置は、コンピュータまたはプログラムと組み合わされて制御する方法により、布３と、布挿入ローラー４と、螺旋軸式輸送装置２の３つの速度を同じにすることができるとともに、布３の輸送速度に異常がある場合、修正且つ調整することができ、さらには自動で停止させることができることで、布３が異常な輸送速度の影響により損傷するのを確実に防ぐことができると同時に、機械に確実に害を与えないようにすることができる。
【符号の説明】
【００１６】
１      本体
１１    染色管
１２    液体貯蔵タンク
１２１  ストレーナー
２      螺旋軸式輸送装置
２１    輸送螺旋軸
２２    布支持板
３      布
４      布挿入ローラー
５      ノズル
６      助剤桶
７      ポンプ
８      制御ボックス
【図１】
0003219782.tif 000003
【図２】
0003219782.tif 000004